(57)【要約】【目的】  隣接する２枚の天井パネルの端部における開きを抑制するとともに、水平方向のずれも抑制する。【構成】  クリップの挟み付け位置における各天井パネル（１）（２）には、端縁部にストッパーが設けられ、ストッパーの内側に突起が設けられ、ストッパーと突起との間に溝が形成され、突起の横側からスライドしてくるクリップが突起を乗り越える際に、クリップは押し広げられ、そしてストッパーによりそれ以上のスライドが規制されて溝に嵌り込み、リブ（３）の端部を挟み付ける。【選択図】図１
2005180007.tif 000002
【特許請求の範囲】
【請求項１】
隣接する２枚の天井パネルの対向側部にリブが立設され、このリブを突き合わせて２枚の天井パネルが、その端部においてクリップの挟み付けにより連結される天井パネルの連結構造であり、クリップの挟み付け位置における各天井パネルには、端縁部にストッパーが設けられ、ストッパーの内側に突起が設けられ、ストッパーと突起との間に溝が形成され、突起の横側からスライドしてくるクリップが突起を乗り越える際に、クリップは押し広げられ、そしてストッパーによりそれ以上のスライドが規制されて溝に嵌り込み、リブの端部を挟み付けることを特徴とする天井パネルの連結構造。
【請求項２】
隣接する２枚の天井パネルの対向側部にリブが立設され、このリブを突き合わせて２枚の天井パネルが、その端部においてクリップの挟み付けにより連結される天井パネルの連結構造であり、各天井パネルには、クリップの挟み付け位置の左右両側に、リブに直交する突片部が設けられ、この突片部間にクリップが嵌り込み、リブの端部を挟み付けることを特徴とする天井パネルの連結構造。
【発明の詳細な説明】
【技術分野】
【０００１】
この出願の発明は、天井パネルの連結構造に関するものである。さらに詳しくは、この出願の発明は、隣接する２枚の天井パネルの端部における開きを抑制するとともに、水平方向のずれも抑制することのできる天井パネルの連結構造に関するものである。
【背景技術】
【０００２】
ユニットルームの天井は天井パネルを連結することにより形成される。具体的には、たとえば、隣接する２枚の天井パネルの対向側部にリブが立設され、このリブを突き合わせてネジ、ナットを用いて連結する構造が知られている（たとえば、特許文献１参照）。
【特許文献１】特開２００３−１６０９９６号公報
【発明の開示】
【発明が解決しようとする課題】
【０００３】
ネジ留めは、天井パネルに形成された点検口を通じて行われる。リブの端部は点検口から遠い位置にあり、このため、ネジ留めするのは難しい。ネジ留めが十分に行われないと、天井パネルの端部に開きが生じる。
【０００４】
また、上記特許文献では、天井パネルのフランジ部に突起と突起嵌合部とを設け、連結時に嵌め合わせ、水平方向のずれを抑制するような工夫がなされているが、より簡略化された構造により天井パネルの水平方向のずれを抑制することが望まれる。
【０００５】
この出願の発明は、このような事情に鑑みてなされたものであり、隣接する２枚の天井パネルの端部における開きを抑制するとともに、水平方向のずれも抑制することのできる天井パネルの連結構造を提供することを解決すべき課題としている。
【課題を解決するための手段】
【０００６】
この出願の発明は、上記の課題を解決するものとして、第１には、隣接する２枚の天井パネルの対向側部にリブが立設され、このリブを突き合わせて２枚の天井パネルが、その端部においてクリップの挟み付けにより連結される天井パネルの連結構造であり、クリップの挟み付け位置における各天井パネルには、端縁部にストッパーが設けられ、ストッパーの内側に突起が設けられ、ストッパーと突起との間に溝が形成され、突起の横側からスライドしてくるクリップが突起を乗り越える際に、クリップは押し広げられ、そしてストッパーによりそれ以上のスライドが規制されて溝に嵌り込み、リブの端部を挟み付けることを特徴とする天井パネルの連結構造を提供する。
【０００７】
この出願の発明は、第２には、隣接する２枚の天井パネルの対向側部にリブが立設され、このリブを突き合わせて２枚の天井パネルが、その端部においてクリップの挟み付けにより連結される天井パネルの連結構造であり、各天井パネルには、クリップの挟み付け位置の左右両側に、リブに直交する突片部が設けられ、この突片部間にクリップが嵌り込み、リブの端部を挟み付けることを特徴とする天井パネルの連結構造を提供する。
【発明の効果】
【０００８】
この出願の発明の第１及び第２の天井パネルの連結構造によれば、隣接する２枚の天井パネルの端部における開きを抑制するとともに、水平方向のずれも抑制することができる。
【発明を実施するための最良の形態】
【０００９】
以下、図面に沿ってこの出願の発明の天井パネルの連結構造についてさらに詳しく説明する。
【００１０】
図１は、この出願の発明の天井パネルの連結構造における隣接する２枚の天井パネルの一形態を示した斜視図である。
【００１１】
図１に示したように、隣接する２枚の天井パネル（１）（２）の対向側部にはリブ（３）が立設されている。隣接する２枚の天井パネル（１）（２）は、リブ（３）を突き合わせて連結される。そして、この出願の発明の天井パネルの連結構造では、天井パネル（１）（２）は、その端部において、図２に示したように、クリップ（４）の弾性を利用した挟み付けにより連結される。クリップ（４）の挟み付け位置における天井パネル（１）（２）には、図３に示したように、端縁部にストッパー（５）が設けられ、ストッパー（５）の内側に突起（６）が設けられ、ストッパー（５）と突起（６）との間に溝（７）が形成されている。溝（７）にクリップ（４）が嵌り込むことにより、リブ（３）の端部が、クリップ（４）により挟み付けられる。
【００１２】
クリップ（４）でリブ（３）の端部を挟み付ける際には、図１に示した点検口（８）の近くに位置するリブ（３）に、図２に示したようにクリップ（４）を上方から押し込み、弾性を利用して図３に示したように取り付ける。この後、クリップ（４）をリブ（３）に沿ってスライドさせ、リブ（３）の端部まで移動させる。図４に示したように、突起（６）の横側からスライドしてくるクリップ（４）が突起（６）を乗り越える際に、クリップ（４）は押し広げられ、そして溝（７）に達し、ストッパー（５）によりそれ以上のスライドが規制されて溝（７）に嵌り込む。溝（７）においてクリップ（４）はリブ（３）の端部を弾性により挟み付ける。このクリップ（４）の挟み付けにより、隣接する２枚の天井パネル（１）（２）の端部の開きが抑制され、溝（７）にクリップ（４）が嵌り込む際に天井パネル（１）（２）の水平方向のずれが抑制される。
【００１３】
また、この出願の発明の天井パネルの連結構造では、図５に示したように、各天井パネル（１）（２）には、クリップ（４）の挟み付け位置の左右両側に、リブ（３）に直交する突片部（９）を設けることができる。この場合には、図５に示したように、突片部（９）の間にクリップ（４）を上方から嵌め込む。突片部（９）の間に嵌り込んだクリップ（４）は、リブ（３）の端部を弾性により挟み付け、この挟み付けにより隣接する２枚の天井パネル（１）（２）の端部の開きが抑制される。また、クリップ（４）が突片部（９）の間に嵌り込む際に、天井パネル（１）（２）の水平方向のずれが抑制される。
【００１４】
このように、この出願の発明の天井パネルの連結構造により、ネジ留めを行わなくとも、隣接する２枚の天井パネルの端部における開きが抑制されるとともに、水平方向のずれも抑制される。
【００１５】
もちろん、この出願の発明は、以上の実施形態によって限定されるものではない。天井パネル、クリップ等の構成及び構造等の細部については様々な態様が可能であることはいうまでもない。
【産業上の利用可能性】
【００１６】
以上詳しく説明したとおり、この出願の発明によって、隣接する２枚の天井パネルの端部における開きが抑制されるとともに、水平方向のずれも抑制される。
【図面の簡単な説明】
【００１７】
【図１】この出願の発明の天井パネルの連結構造における隣接する２枚の天井パネルの一形態を示した斜視図である。
【図２】この出願の発明の天井パネルの連結構造におけるクリップによるリブの挟み付けについて示した要部断面図である。
【図３】この出願の発明の天井パネルの連結構造の一実施形態を示した要部正面図、要部断面図、要部平面図である。
【図４】この出願の発明の天井パネルの連結構造の一実施形態におけるクリップによるリブの挟み付けについて示した要部工程平面図である。
【図５】この出願の発明の天井パネルの連結構造の一実施形態におけるクリップによるリブの挟み付けについて工程順に示した要部平面図、要部正面図、要部断面図である。
【符号の説明】
【００１８】
１、２    天井パネル
３    リブ
４    クリップ
５    ストッパー
６    突起
７    溝
８    点検口
９    突片部
【図１】
2005180007.tif 000003
【図２】
2005180007.tif 000004
【図３】
2005180007.tif 000005
【図４】
2005180007.tif 000006
【図５】
2005180007.tif 000007